(57)【要約】      （修正有）【課題】ブレードユニットが意図しないときに回転することを抑えることができる混合器ユニットを提供する。【解決手段】本体の一端部に設けられ、被調理物を切削可能なブレードユニットを有する混合器ユニットと、ブレードユニットを回転させる回転駆動力を発生させる駆動源と、本体の他端部に設けられ、駆動源の駆動状態を切り換えるボタンスイッチとを備える。ボタンスイッチは、外部に露出する天板３５を備え、天板の中心部３５ｂが押されたとき、駆動源を駆動させる一方、天板の外周部３５ａの一部が押されたとき、駆動源を駆動させないように構成されている。【選択図】図１７
2018029660.tif 000002
【特許請求の範囲】
【請求項１】
本体と、
前記本体の一端部に設けられ、被調理物を切削可能なブレードユニットを有する混合器ユニットと、
前記ブレードユニットを回転させる回転駆動力を発生させる駆動源と、
前記本体の他端部に設けられ、前記駆動源の駆動状態を切り換えるボタンスイッチと、
を備えるハンドブレンダであって、
前記ボタンスイッチは、外部に露出する天板を備え、前記天板の中心部が押されたとき、前記駆動源を駆動させる一方、前記天板の外周部の一部が押されたとき、前記駆動源を駆動させないように構成されている、
ハンドブレンダ。
【請求項２】
前記ボタンスイッチは、前記天板の中心部が押圧方向に予め設定された変位量以上変位したとき、前記駆動源を駆動させるように構成され、
前記天板の外周部の一部が前記押圧方向に押されたとき、前記中心部の変位量に比べて前記外周部の一部の変位量が大きくなるように前記天板が傾斜し、前記中心部の変位量は前記予め設定された変位量よりも小さくなるように構成されている、
請求項１に記載のハンドブレンダ。
【請求項３】
前記天板は、前記本体の他端部の端面の一部を構成し、前記外周部の一部が外部に露出するように構成されている、請求項１又は２に記載のハンドブレンダ。
【請求項４】
前記天板の中心部は、当該中心部の周囲の部分よりも凹むように構成されている、請求項１〜３のいずれか１つに記載のハンドブレンダ。
【請求項５】
前記ボタンスイッチは、前記天板を備える第１スイッチと、第２スイッチとを備え、
前記第１スイッチ及び前記第２スイッチの両方が押されたときのみ、前記駆動源が駆動するように構成されている、請求項１〜４のいずれか１つに記載のハンドブレンダ。
【請求項６】
前記第１スイッチの前記天板の中心部が押圧方向に予め設定された変位量以上変位したとき、前記第２スイッチが待機位置から駆動位置に移動可能になり、前記第２スイッチが前記駆動位置に移動されたとき、前記駆動源が駆動されるように構成されている、請求項５に記載のハンドブレンダ。
【請求項７】
前記ボタンスイッチは、前記天板を備える第１スイッチと、第２スイッチとを備え、
前記第１スイッチを押し込むことで前記第２スイッチのロックを解除し、前記第２スイッチが押し込める状態になり、前記第２スイッチを押し込むことにより前記駆動源が駆動するように構成されている、請求項１〜４のいずれか１つに記載のハンドブレンダ。
【発明の詳細な説明】
【技術分野】
【０００１】
本発明は、ハンドブレンダに関し、特に、ハンドブレンダが備えるブレードユニットを回転させるためのボタンスイッチに関する。
【背景技術】
【０００２】
従来、この種のハンドブレンダとして種々の構造のものが知られている。例えば、従来のハンドブレンダとして、ブレードユニットを回転させる回転駆動力を発生させる駆動源の駆動状態を切り換えるボタンスイッチを、ブレードユニットから離れた本体の一端部に備える構造のものが知られている（特許文献１参照）。
【先行技術文献】
【特許文献】
【０００３】
【特許文献１】米国特許出願公開第２０１２／００８０２９５号明細書
【発明の概要】
【発明が解決しようとする課題】
【０００４】
しかしながら、従来のハンドブレンダにおいては、ブレードユニットが意図しないときに回転することを抑える観点において未だ改善の余地がある。
【０００５】
従って、本発明の目的は、前記課題を解決することにあって、ブレードユニットが意図しないときに回転することを抑えることができるハンドブレンダを提供することにある。
【課題を解決するための手段】
【０００６】
前記目的を達成するために、本発明に係るハンドブレンダは、本体と、
前記本体の一端部に設けられ、被調理物を切削可能なブレードユニットを有する混合器ユニットと、
前記ブレードユニットを回転させる回転駆動力を発生させる駆動源と、
前記本体の他端部に設けられ、前記駆動源の駆動状態を切り換えるボタンスイッチと、
を備えるハンドブレンダであって、
前記ボタンスイッチは、外部に露出する天板を備え、前記天板の中心部が押されたとき、前記駆動源を駆動させる一方、前記天板の外周部の一部が押されたとき、前記駆動源を駆動させないように構成されている。
【発明の効果】
【０００７】
本発明に係るハンドブレンダによれば、ブレードユニットが意図しないときに回転することを抑えることができる。
【図面の簡単な説明】
【０００８】
【図１】本発明の実施形態に係るハンドブレンダを斜め下方から見た斜視図である。
【図２】図１のハンドブレンダの側面図である。
【図３】図１のハンドブレンダが備える本体と混合器ユニットとの接続構造の一例を示す分解斜視図である。
【図４】図１のハンドブレンダが備える混合器ユニットの一部拡大断面図である。
【図５】図１のハンドブレンダを斜め上方から見た一部拡大斜視図である。
【図６】図１のハンドブレンダを一部断面で示す一部拡大斜視図である。
【図７】図１のハンドブレンダにおいて、ボタンスイッチが押される前の状態を示す一部拡大断面図である。
【図８】図７に示す状態において、ボタンスイッチに関連する部品の位置関係を第１スイッチ側から見た斜視図である。
【図９】図７に示す状態において、ボタンスイッチに関連する部品の位置関係を第２スイッチ側から見た斜視図である。
【図１０】図９の一部拡大断面図である。
【図１１】図７に示す状態において、ボタンスイッチに関連する部品が本体に内蔵された保持部材によって保持された状態を示す斜視図である。
【図１２】図１のハンドブレンダにおいて、ボタンスイッチの第１スイッチの中心部が押された状態を示す一部拡大断面図である。
【図１３】図１２に示す状態において、ボタンスイッチに関連する部品の位置関係を第１スイッチ側から見た斜視図である。
【図１４】図１２に示す状態において、ボタンスイッチに関連する部品の位置関係を第２スイッチ側から見た斜視図である。
【図１５】図１のハンドブレンダにおいて、ボタンスイッチの第２スイッチが押される直前の状態を示す一部拡大断面図である。
【図１６】図１２に示す状態において、ボタンスイッチに関連する部品が本体に内蔵された保持部材によって保持された状態を示す斜視図である。
【図１７】図１のハンドブレンダにおいて、ボタンスイッチの第１スイッチの外周部の一部が押された状態を示す一部拡大断面図である。
【図１８】図１７に示す状態において、ボタンスイッチに関連する部品の位置関係を第１スイッチ側から見た斜視図である。
【図１９】図１７に示す状態において、ボタンスイッチに関連する部品が本体に内蔵された保持部材によって保持された状態を示す斜視図である。
【０００９】
（本発明の基礎となった知見）
本発明者らは、ブレードユニットが意図しないときに回転することを抑えるために鋭意検討した結果、以下の知見を得た。
【００１０】
従来のハンドブレンダにおいて、混合器ユニットは本体の一端部に設けられ、ボタンスイッチは本体の他端部に設けられている。ハンドブレンダは、通常、被調理物が入れられた容器内に混合器ユニットを挿入した状態で、当該混合器ユニットが有するブレードユニットを回転させることで、被調理物を切削及び撹拌して混合するように使用される。この場合、混合器ユニットが設けられた本体の一端部は下向きになり、ボタンスイッチが設けられた本体の他端部は上向きになる。このとき、使用者は、ボタンスイッチの位置を目視で容易に確認することができ、ブレードユニットが意図しないときに回転しないようにボタンスイッチを操作することができる。
【００１１】
しかしながら、例えば、混合器ユニット内で被調理物が詰まり、ブレードユニットの回転が阻害されることが起こり得る。このような場合、ブレードユニットを目視するために、混合器ユニットが設けられた本体の一端部が上向きになり、ボタンスイッチが設けられた本体の他端部が下向きになるように、使用者がハンドブレンダの姿勢を変える可能性がある。この場合、ブレードユニットが使用者の顔の近くに位置することになる一方、使用者はボタンスイッチの位置を目視で確認することができなくなる。この状態で、使用者がハンドブレンダを下方に移動させると、例えば、被調理物が入れられた容器を載置する台にボタンスイッチが接触して押され、ブレードユニットが意図せず回転することが起こり得る。使用者の顔に近い位置でブレードユニットが回転すると非常に危険である。
【００１２】
また、ハンドブレンダは、被調理物が入れられた容器に挿入して使用するため、ある程度の長さ（例えば、約４０ｃｍ）を有する。このため、例えば、使用者が、一方の手で本体の一端部を保持するとともに他方の手で本体の他端部を保持する場合、一般的な手の長さを考慮すれば、ブレードユニットは使用者の顔のかなり近くに位置することになる。
【００１３】
これに対して、本発明者らは、例えば、被調理物が入れられた容器を載置する台にボタンスイッチが誤って接触して押されるのは、通常、ボタンスイッチの天板の外周部の一部であって、天板の中心部ではないことを知見した。また、天板の外周部の一部が押されたときには駆動源を駆動させないように構成しても、通常使用時において、使用者は、天板を容易に目視することができ、感覚的に天板の外周部から中心部に手指を移動させて、駆動源を駆動させることができる。従って、使い勝手が低下することを抑えることができる。
【００１４】
これらの新規な知見に基づき、本発明者らは、以下の発明に至った。
【発明を実施するための形態】
【００１５】
本発明の第１態様によれば、本体と、
前記本体の一端部に設けられ、被調理物を切削可能なブレードユニットを有する混合器ユニットと、
前記ブレードユニットを回転させる回転駆動力を発生させる駆動源と、
前記本体の他端部に設けられ、前記駆動源の駆動状態を切り換えるボタンスイッチと、
を備えるハンドブレンダであって、
前記ボタンスイッチは、外部に露出する天板を備え、前記天板の中心部が押されたとき、前記駆動源を駆動させる一方、前記天板の外周部の一部が押されたとき、前記駆動源を駆動させないように構成されている、
ハンドブレンダを提供する。
【００１６】
本発明の第２態様によれば、前記ボタンスイッチは、前記天板の中心部が押圧方向に予め設定された変位量以上変位したとき、前記駆動源を駆動させるように構成され、
前記天板の外周部の一部が前記押圧方向に押されたとき、前記中心部の変位量に比べて前記外周部の一部の変位量が大きくなるように前記天板が傾斜し、前記中心部の変位量は前記予め設定された変位量よりも小さくなるように構成されている、
第１態様に記載のハンドブレンダを提供する。
【００１７】
本発明の第３態様によれば、前記天板は、前記本体の他端部の端面の一部を構成し、前記外周部の一部が外部に露出するように構成されている、第１又は２態様に記載のハンドブレンダを提供する。
【００１８】
本発明の第４態様によれば、前記天板の中心部は、当該中心部の周囲の部分よりも凹むように構成されている、第１〜３態様のいずれか１つに記載のハンドブレンダを提供する。
【００１９】
本発明の第５態様によれば、前記ボタンスイッチは、前記天板を備える第１スイッチと、第２スイッチとを備え、
前記第１スイッチ及び前記第２スイッチの両方が押されたときのみ、前記駆動源が駆動するように構成されている、第１〜４態様のいずれか１つに記載のハンドブレンダを提供する。
【００２０】
本発明の第６態様によれば、前記第１スイッチの前記天板の中心部が押圧方向に予め設定された変位量以上変位したとき、前記第２スイッチが待機位置から駆動位置に移動可能になり、前記第２スイッチが前記駆動位置に移動されたとき、前記駆動源が駆動されるように構成されている、第５態様に記載のハンドブレンダを提供する。
【００２１】
本発明の第７態様によれば、前記ボタンスイッチは、前記天板を備える第１スイッチと、第２スイッチとを備え、
前記第１スイッチを押し込むことで前記第２スイッチのロックを解除し、前記第２スイッチが押し込める状態になり、前記第２スイッチを押し込むことにより駆動源が駆動するように構成されている、第１〜４態様のいずれか１つに記載のハンドブレンダを提供する。
【００２２】
以下、本発明の実施形態について、図面を参照しながら説明する。なお、この実施形態によって本発明が限定されるものではない。
【００２３】
また、以下では、説明の便宜上、通常使用時の状態を想定して「上」、「下」等の方向を示す用語を用いるが、本発明のハンドブレンダの使用状態等を限定することを意味するものではない。
【００２４】
《実施形態》
図１は、本発明の実施形態に係るハンドブレンダを斜め下方から見た斜視図である。図２は、図１のハンドブレンダの側面図である。
【００２５】
図１及び図２に示すように、本実施形態に係るハンドブレンダは、本体１と、本体１の下部に着脱自在に取り付けられた混合器ユニット２（ブレンダアタッチメントともいう）とを備えている。本体１と混合器ユニット２とを接続したハンドブレンダの全長は、例えば、４０ｃｍである。
【００２６】
本体１は、使用者が手で握る部分となる筒状の外表面を有している。本体１には、後述する回転軸８（図４参照）を回転させる回転駆動力を発生させる駆動源の一例であるモータＭ（図２参照）が内蔵されている。
【００２７】
本体１の一端部である上部には、モータＭの駆動を制御する制御部ＣＯＮＴ（図６参照）に運転モードを切り替えるための操作部３が設けられている。操作部３については、後で詳しく説明する。また、本体１の側面上部には、電源コード４が接続されている。例えば、電源コード４が商用電源に接続され、電源コード４を通じてモータＭに電力が供給されることで、回転軸８が回転可能となる。
【００２８】
混合器ユニット２は、野菜や果物などの被調理物が入れられた容器（図示せず）内に挿入され、被調理物を切削及び撹拌して混合するものである。混合器ユニット２は、上方が開口する釣鐘形状の着脱部５と、下方が開口する釣鐘形状のフード６と、着脱部５の頂部とフード６の頂部とを貫通し、着脱部５の内部空間とフード６の内部空間とを連通する円筒形の連通管７とを備えている。
【００２９】
着脱部５は、図３に示すように、雌ねじ部５ａを有し、当該雌ねじ部５ａが本体１の下端部に設けられた雄ねじ部１ａにねじ込まれることにより、本体１の他端部である下端部に着脱自在に接続される。また、着脱部５の内周面に設けられた係合凹部５ｂと本体１の下端部に設けられた係合凸部１ｂが、着脱時に係合することで適度なクリック感触を発生させる。
【００３０】
図４は、混合器ユニット２の一部拡大断面図である。図４に示すように、混合器ユニット２は、更に、フード６の内側で上下方向に延在するように設けられた回転軸８と、回転軸８を中心として回転するように回転軸８の下端部８ａに設けられたブレードユニット９とを備えている。
【００３１】
回転軸８は、連通管７の内側を貫通し、上端部が着脱部５内に位置し、下端部８ａが連通管７の下端部７ａよりも下方に位置するように設けられている。本実施形態において、回転軸８は、本体１のモータＭから回転駆動力を受けて、例えば、下方から見て右回りに回転するように構成されている。例えば、回転軸８は、モータＭの回転駆動力により１万回転／分の速度で回転する。
【００３２】
連通管７の下端部の外周面には、図４に示すように、環状の隔壁部材１０が設けられている。隔壁部材１０とフード６の内壁面との間には、パッキン１１が設けられている。これにより、フード６の内壁面と連通管７の外周面との間に、被調理物が入り込まないようにシールされている。
【００３３】
連通管７の下端部の内周面には、図４に示すように、回転軸８を回転可能に支持する軸受１２が設けられている。なお、連通管７の下端部の内周面には、連通管７内に被調理物が入り込まないようにシールするパッキン（図示せず）が設けられてもよい。
【００３４】
ブレードユニット９は、図４に示すように、隔壁部材１０よりも下方に突出する回転軸８の下端部８ａに取り付けられている。ブレードユニット９は、回転軸８の軸回りの回転に伴い、回転軸８を中心として回転する。本実施形態において、ブレードユニット９は、一枚の金属板に対して折り曲げ、打ち抜き、研磨等の加工を行うことにより構成されている。
【００３５】
ブレードユニット９は、図１又は図４に示すように、複数のブレード２１，２２を有している。複数のブレード２１，２２は、平面視において、回転軸８を中心として点対称又は略点対称に構成されている。複数のブレード２１，２２は、フード６内で回転軸８を中心として回転することにより、被調理物を切削及び撹拌して混合するように構成されている。
【００３６】
次に、操作部３の構成について、より詳しく説明する。図５は、図１のハンドブレンダを斜め上方から見た一部拡大斜視図である。図６は、図１のハンドブレンダを一部断面で示す一部拡大斜視図である。
【００３７】
操作部３は、図５及び図６に示すように、運転モードを表示する表示部３１と、モータＭの駆動状態を切り換えるボタンスイッチ３２とを備えている。
【００３８】
ボタンスイッチ３２は、例えば、押されている間だけ動作状態を維持するモーメンタリ動作を行うスイッチである。本実施形態において、ボタンスイッチ３２は、第１スイッチ３３と、第２スイッチ３４とを備えている。ボタンスイッチ３２は、第１スイッチ３３及び第２スイッチ３４の両方が押されたときのみ、モータＭを駆動させるように構成されている。本実施形態において、第１スイッチ３３は、第２スイッチ３４のロック状態を解除するロック解除スイッチである。第２スイッチ３４は、モータＭの駆動状態を切り換えるメインスイッチである。
【００３９】
表示部３１及び第１スイッチ３３は、本体１の他端部の端面に設けられている。第１スイッチ３３は、使用者が本体１の他端部の外表面を片手で握った際、使用者の親指が届く位置に設けられている。表示部３１の下方には、図６に示すように、モータＭの駆動を制御する制御部ＣＯＮＴが設けられている。第２スイッチ３４は、本体１の他端部の側面に設けられている（図２参照）。第２スイッチ３４は、使用者が本体１の他端部の外表面を片手で握った際、使用者の親指以外のいずれかの指が届く位置に設けられている。
【００４０】
第１スイッチ３３は、外部に露出する天板３５を備えている。天板３５は、本体１の他端部の端面の一部を構成する。天板３５の外周部３５ａの一部（表示部３１に隣接しない部分）は、リブなどによって囲まれず、外部に露出するように構成されている。天板３５の中心部３５ｂは、当該中心部３５ｂの周囲の部分よりも凹むように構成されている。本実施形態において、ボタンスイッチ３２は、第１スイッチ３３の天板３５の中心部３５ｂが押圧方向に予め設定された変位量以上変位したとき、第２スイッチ３４が動作可能になり、第２スイッチ３４によりモータＭを駆動させるように構成されている。
【００４１】
天板３５は、押圧方向（例えば、上下方向）に移動可能に設けられている。天板３５は、図６に示すように、押圧方向に押されていないとき、表示部３１の表面に対して面一又は略面一になるように弾性部材の一例であるバネＳＰにより付勢されている。
【００４２】
図７は、ボタンスイッチ３２が押される前の状態を示す一部拡大断面図である。図８は、図７に示す状態において、ボタンスイッチ３２に関連する部品の位置関係を第１スイッチ３３側から見た斜視図である。図９は、図７に示す状態において、ボタンスイッチ３２に関連する部品の位置関係を第２スイッチ３４側から見た斜視図である。図１０は、図９の一部拡大断面図である。図１１は、図７に示す状態において、ボタンスイッチ３２に関連する部品が本体１に内蔵された保持部材Ｈによって保持された状態を示す斜視図である。
【００４３】
天板３５の中心部３５ｂの下面には、下方に突出する突起部３５ｃが設けられている。突起部３５ｃの下方には、ロック解除レバー３６が設けられている。
【００４４】
ロック解除レバー３６は、図９に示すように、天板３５の下方に配置された第１レバー３６ａと、回動軸３６ｂと、一対の第２レバー３６ｃ，３６ｃとを備えている。
【００４５】
第１レバー３６ａは、一端部が回動軸３６ｂの中心部に固定され、他端部が天板３５の突起部３５ｃの下方に位置するように、横方向（上下方向及び回動軸３６ｂの軸方向に対して交差（例えば、直交）する方向）に延在するように設けられている。すなわち、第１レバー３６ａは、他端部を自由端とし、天板３５がバネＳＰの付勢力に抗して押圧方向に押されたとき、突起部３５ｃに接触して、回動軸３６ｂを中心として回動するように設けられている。
【００４６】
回動軸３６ｂは、第１レバー３６ａ及び一対の第２レバー３６ｃ，３６ｃに対して直交するように設けられている。回動軸３６ｂの両端部には、第２レバー３６ｃ，３６ｃの一端部がそれぞれ固定されている。このため、第１レバー３６ａが回動軸３６ｂを中心として回動するとき、第２レバー３６ｃ，３６ｃも回動軸３６ｂを中心として回動する。
【００４７】
各第２レバー３６ｃの自由端である他端部には、フック部３６ｄが設けられている。フック部３６ｄは、スイッチリンクレバー３７の側面上部に設けられた凹部３７ａに係合するように設けられている。
【００４８】
スイッチリンクレバー３７は、バネ３８によって下方に付勢されている。フック部３６ｄが凹部３７ａに係合した状態で、第２レバー３６ｃ，３６ｃが回動軸３６ｂを中心として回動するとき、スイッチリンクレバー３７は、バネ３８の付勢力に抗して上方に持ち上げられるように構成されている。
【００４９】
スイッチリンクレバー３７には、第２スイッチ３４に設けられた突起部３４ａと接触して、第２スイッチ３４の押圧方向（スイッチリンクレバー３７の略厚み方向）の移動を規制するロック部３７ｂが設けられている。ロック部３７ｂの下方には、突起部３４ａを受け入れ可能な貫通穴３７ｃが設けられている。
【００５０】
第２スイッチ３４の上端部には、回動軸３４ｂが設けられている。第２スイッチ３４は、押圧方向に押されたとき、回動軸３４ｂを中心に回動する。また、第２スイッチ３４は、押圧方向に押されない待機状態のとき、図８及び図９に示す待機位置Ｐ１に位置するようにバネ３９によって第２スイッチ３４の押圧方向とは逆方向に付勢されている。
【００５１】
図１２は、ボタンスイッチ３２の第１スイッチ３３の中心部３５ｂが押された状態を示す一部拡大断面図である。図１３は、図１２に示す状態において、ボタンスイッチ３２に関連する部品の位置関係を第１スイッチ３３側から見た斜視図である。図１４は、図１２に示す状態において、ボタンスイッチ３２に関連する部品の位置関係を第２スイッチ３４側から見た斜視図である。図１５は、ボタンスイッチ３２の第２スイッチ３４が押される直前の状態を示す一部拡大断面図である。図１６は、図１２に示す状態において、ボタンスイッチ３２に関連する部品が本体１に内蔵された保持部材Ｈによって保持された状態を示す斜視図である。
【００５２】
図１２に示すように、第１スイッチ３３の中心部３５ｂが押圧方向に予め設定された変位量以上押されると、天板３５の突起部３５ｃがロック解除レバー３６の第１レバー３６ａの自由端側に接触し、当該第１レバー３６ａを回動軸３６ｂを中心として回動させる。これにより、回動軸３６ｂに固定された第２レバー３６ｃ，３６ｃが、回動軸３６ｂを中心として回動する。
【００５３】
第２レバー３６ｃ，３６ｃの回動に伴い、図１３及び図１４に示すように、第２レバー３６ｃ，３６ｃのフック部３６ｄ，３６ｄと凹部３７ａ，３７ａで係合するスイッチリンクレバー３７が、バネ３８の付勢力に抗して上方に持ち上げられる。これにより、図１５に示すように、貫通穴３７ｃが第２スイッチ３４の突起部３４ａと対向する位置に位置し、第２スイッチ３４が、図８及び図９に示す待機位置Ｐ１から、図１３及び図１４に示す駆動位置Ｐ２に移動可能になる。この状態で、第２スイッチ３４が押されると、突起部３４ａが貫通穴３７ｃ内に侵入し、第２スイッチ３４が駆動位置Ｐ２に移動する。これにより、モータＭが駆動される。
【００５４】
また、本実施形態においては、天板３５の中心部３５ｂが押圧方向に予め設定された変位量以上変位しないとき、第２スイッチ３４は、待機位置Ｐ１でロックされ、待機位置Ｐ１から駆動位置Ｐ２に移動することができないように構成されている。
【００５５】
図１７は、第１スイッチ３３の外周部３５ａの一部が押された状態を示す一部拡大断面図である。図１８は、図１７に示す状態において、ボタンスイッチ３２に関連する部品の位置関係を第１スイッチ３３側から見た斜視図である。図１９は、図１７に示す状態において、ボタンスイッチ３２に関連する部品が本体１に内蔵された保持部材Ｈによって保持された状態を示す斜視図である。
【００５６】
図１７に示すように、第１スイッチ３３の外周部３５ａの一部が押されたとき、中心部３５ｂの変位量に比べて外周部３５ａの一部の変位量が大きくなるように天板３５が傾斜するように構成されている。また、中心部３５ｂの変位量は、予め設定された変位量よりも小さくなるように設定されている。
【００５７】
このため、第１スイッチ３３の外周部３５ａの一部が押圧方向に押されても、天板３５の突起部３５ｃが、回動軸３６ｂを中心として第１レバー３６ａを十分に回動させることができない。その結果、図１８及び図１９に示すように、スイッチリンクレバー３７が十分に上方に持ち上げられず、第２スイッチ３４は、図１０に示すように、突起部３４ａがロック部３７ｂに接触し、待機位置Ｐ１から駆動位置Ｐ２への移動を規制される。
【００５８】
本実施形態によれば、ボタンスイッチ３２が、外部に露出する天板３５を備え、天板３５の中心部３５ｂが押されたとき、モータＭを駆動させる一方、天板３５の外周部３５ａの一部が押されたとき、モータＭを駆動させないように構成されている。この構成によれば、ブレードユニット９が意図しないときに回転することを抑えることができる。
【００５９】
また、本実施形態によれば、ボタンスイッチ３２が、天板３５の中心部３５ｂが押圧方向に予め設定された変位量以上変位したとき、モータＭを駆動させるように構成されている。また、天板３５の外周部３５ａの一部が押圧方向に押されたとき、中心部３５ｂの変位量に比べて外周部３５ａの一部の変位量が大きくなるように天板３５が傾斜し、中心部３５ｂの変位量は予め設定された変位量よりも小さくなるように構成されている。この構成によれば、天板３５の外周部３５ａの一部が押されたときには、天板３５の中心部３５ｂの変位量は予め設定された変位量以上にならないので、モータＭが駆動することを抑えることができる。その結果、ブレードユニット９が意図しないときに回転することを抑えることができる。
【００６０】
また、本実施形態によれば、天板３５の中心部３５ｂが、当該中心部３５ｂの周囲の部分よりも凹むように構成されている。この構成によれば、使用者が天板３５の中心部３５ｂの位置を容易に認識することができる。また、被調理物が入れられた容器を載置する台に天板３５が接触して押された場合であっても、中心部３５ｂが凹んでいるので、中心部３５ｂが突出する場合に比べて、中心部３５ｂが予め設定された変位量以上変位することを抑えることができる。
【００６１】
また、本実施形態によれば、ボタンスイッチ３２が、天板３５を備える第１スイッチ３３と第２スイッチ３４とを備え、第１スイッチ３３及び第２スイッチ３４の両方が押されたときのみ、モータＭが駆動するように構成されている。この構成によれば、この構成によれば、ブレードユニット９が意図しないときに回転することを一層抑えることができる。
【００６２】
なお、本発明は前記実施形態に限定されるものではなく、その他種々の態様で実施できる。例えば、前記では、ボタンスイッチ３２が第１スイッチ３３と第２スイッチ３４とを備えるものとしたが、本発明はこれに限定されない。例えば、ボタンスイッチ３２は、１つのスイッチで構成されてもよい。例えば、ボタンスイッチ３２は、第１スイッチ３３のみで構成されてもよい。この場合、例えば、第１スイッチ３３の天板３５の中心部３５ｂが押されたとき、第１スイッチ３３がモータＭを直接駆動させる一方、天板３５の外周部３５ａの一部が押されたとき、モータＭを駆動させないように構成されてもよい。
【産業上の利用可能性】
【００６３】
本発明に係る混合器ユニットによれば、ブレードユニットが意図しないときに回転することを抑えることができるので、フードプロセッサなどの他の調理器具の混合器ユニットとしても有用である。
【符号の説明】
【００６４】
１    本体
１ａ  雄ねじ部
１ｂ  係合凸部
２    混合器ユニット
３    操作部
４    電源コード
５    着脱部
５ａ  雌ねじ部
５ｂ  係合凹部
６    フード
７    連通管
７ａ  下端部
８    回転軸
８ａ  下端部
９    ブレードユニット
１０    隔壁部材
１１    パッキン
１２    軸受
２１    メインブレード
２２    サブブレード
３１    表示部
３２    ボタンスイッチ
３３    第１スイッチ
３４    第２スイッチ
３４ａ  突起部
３４ｂ  回動軸
３５    天板
３５ａ  外周部
３５ｂ  中心部
３５ｃ  突起部
３６    ロック解除レバー
３６ａ  第１レバー
３６ｂ  回動軸
３６ｃ  第２レバー
３６ｄ  フック部
３７    スイッチリンクレバー
３７ａ  凹部
３７ｂ  ロック部
３７ｃ  貫通穴
３８，３９    バネ
Ｍ    モータ（駆動源）
【図１】
2018029660.tif 000003
【図２】
2018029660.tif 000004
【図３】
2018029660.tif 000005
【図４】
2018029660.tif 000006
【図５】
2018029660.tif 000007
【図６】
2018029660.tif 000008
【図７】
2018029660.tif 000009
【図８】
2018029660.tif 000010
【図９】
2018029660.tif 000011
【図１０】
2018029660.tif 000012
【図１１】
2018029660.tif 000013
【図１２】
2018029660.tif 000014
【図１３】
2018029660.tif 000015
【図１４】
2018029660.tif 000016
【図１５】
2018029660.tif 000017
【図１６】
2018029660.tif 000018
【図１７】
2018029660.tif 000019
【図１８】
2018029660.tif 000020
【図１９】
2018029660.tif 000021